(57)【要約】【課題】  省スペース化を図りながら、画像形成から出力までの時間が遅滞及び寿命が短縮されてしまうという問題を解消したロール給紙方式の画像形成装置を提供することを目的とする。【解決手段】  ロール紙収納部に装着されたロール紙から記録用紙を延出し、該記録用紙を用紙送り方向に直交する方向にカッター装置８でカットして出力する機構を備えた画像形成装置において、カッター装置８のカッターカッタ８４の待機位置を、記録用紙が通過する領域の左右端部（センサ８４、センサ８７の配置位置）、又はその中間部の任意位置（センサ８６の配置位置）に設定自在とするカッター待機位置設定部を具備することを特徴とする。【選択図】      図４
2005066899.tif 000002
【特許請求の範囲】
【請求項１】
ロール紙収納部に装着されたロール紙から記録用紙を延出し、該記録用紙を用紙送り方向に直交する方向にカッター装置でカットして出力する機構を備えた画像形成装置において、
前記カッター装置のカッターの待機位置を、前記記録用紙が通過する領域の左右端部、又はその中間部の任意位置に設定自在とするカッター待機位置設定部を具備することを特徴とする画像形成装置。
【請求項２】
前記ロール紙収納部に複数のロール紙が装着され、該ロール紙収納部から並行して複数の記録用紙が延出される場合において、
前記カッターの待機位置が、延出された複数の記録用紙の間、又はこれら記録用紙並行体の左右端部のいずれかに設定されることを特徴とする請求項１記載の画像形成装置。
【請求項３】
ロール紙収納部に装着されたロール紙から記録用紙を延出し、該記録用紙をカッター装置でカットして出力する機構を備えた画像形成装置において、
前記ロール紙収納部から複数の記録用紙が延出されるか否かを検知するロール並列状態検知部と、延出される各記録用紙のカット位置を検知する記録用紙長検知部と、前記カッター装置のカッターの待機位置を、前記記録用紙の左右端部、又はその中間部の任意位置に設定自在とするカッター待機位置設定部とを設け、
前記カッター待機位置設定部は、前記ロール並列状態検知部と記録用紙長検知部とから与えられる信号に基づいて、カッターの待機位置を設定することを特徴とする画像形成装置。
【請求項４】
前記記録用紙並列状態検知部が、前記ロール紙収納部から複数の記録用紙が延出されることを検知し、且つ記録用紙長検知部が、延出される各記録用紙のカット位置に有意差があることを検知したときに、カッターの待機位置が、各ロール紙から延出された複数の記録用紙の間に設定されるよう構成されていることを特徴とする請求項３記載の画像形成装置。
【請求項５】
記録用紙長検知部が、各ロール紙のカット位置に有意差があることを検知した場合において、カットされる紙片の長さ寸法が短いロール紙から延出された記録用紙を優先してカットさせることを特徴とする請求項４記載の画像形成装置。
【請求項６】
記録用紙の紙幅を検知する記録用紙幅検知部を設け、該記録用紙幅検知部からの検知信号に基づいて、カッターの待機位置を調整可能としたことを特徴とする請求項３記載の画像形成装置。
【発明の詳細な説明】
【技術分野】
【０００１】
本発明は、ロール状に蓄積されたロール紙から延出された記録用紙に、所定の画像形成を行った後、適宜長に記録用紙をカットして出力する機構を備える画像形成装置に関するものである。
【背景技術】
【０００２】
従来、記録媒体として、ロール状に蓄積されたロール紙から延出された記録用紙を用いる画像形成装置として、複写機やファクシミリ装置などが知られている。特に、Ａ１版やＡ２版等の広幅サイズの画像形成を行う場合、ロール紙から記録用紙をサプライし、所定長の画像形成を行った後に該記録用紙をカッター装置でカットして出力する方式が装置構成上有利であるため、このロール給紙方式は広幅サイズの画像形成装置に汎用されている。
【０００３】
この種画像形成装置における記録用紙のカッティングは、ロール紙から延出された記録用紙と直交する方向に張架されたワイヤと、このワイヤに取り付けられたカッターと、該ワイヤを前記直交方向に送り駆動させるモータとを備えるカッター装置を用い、必要時に前記モータの動作によりカッターを移動させて記録用紙をカットする方法が一般的に採られている。前記カッターの位置制御は、例えば特許文献１に開示されているように、記録用紙の両側に配置された、カッターのポジションを検知するセンサにて行われ、カッターヘッドが該センサ位置まで到達したらワイヤの送り駆動を停止し、次回のカッティングまで左右端部のいずれかで待機させている。すなわち、カッターのホームホジションは記録用紙の左右端部側いずれかであり、カッティング時には他端側まで走査されるものである。
【０００４】
また、ロール紙収納部に複数個（２個）のロール紙が装着され、該ロール紙収納部から並行して２個の記録用紙が延出される場合においては、例えば特許文献２に開示されているように、２個の記録用紙を１つのカッター装置でカットしてしまう方法が知られている。この方法でも、カッター装置は記録用紙並行体の左右いずれか一端側にて待機し、カッティング時に他端側まで走査される。また、２個の記録用紙それぞれにカッターを設け、別々にカットする方法も特許文献２には開示されているが、この方法は特許文献１の方法にかかるカッター装置を並置したもので、基本的には同一の動作である。
【特許文献１】特開平１０−３１５１９８号公報
【特許文献２】特開平１１−２０２４１８号公報
【発明の開示】
【発明が解決しようとする課題】
【０００５】
しかしながら、カッターのホームホジション（待機位置）を記録用紙の左右端部側いずれかとし、カッティング時に他端側まで走査する方法によると、ロール紙収納部から並行して複数の記録用紙を延出可能として画像形成装置を運用する場合において、カッターが無用の動作を行ってしまうことがあり、結果として画像形成の処理速度を遅くしているという問題がある。すなわち、例えば、第１、第２の記録用紙を並列な状態で切断する場合に、第１の記録用紙を切断し、更に第２の記録用紙をも切断した後まで、次回の第１の記録用紙の搬送駆動ができず、その分画像形成のための処理速度が遅延する。また、ロール紙収納部に複数のロール紙を装着してはいるが、１のロール紙からしか記録用紙を延出させない場合であっても、カッターは延出されていない他の記録用紙が通過する領域（非延出領域）までも走査した上で他端側にて待機し、次回のカットの際に再び前記非延出領域を通過した上で記録用紙のカットを行うという、非効率的な動作が為されてしまうのである。
【０００６】
このようにカッターの不必要な移動が行われている結果として、画像形成から出力までの時間が遅滞することになる。また、不必要な移動によりカッター装置の寿命が短縮されてしまうという問題もある。更に、並列な状態で搬送される複数の記録用紙を同数のカッターを用いて切断する構成では、複数の記録用紙を並列な状態でカットする場合に、それぞれ異なった長手寸法を有する用紙片に切断することはできるが、カッター装置の構造が大型化するため、省スペース化を図ることができない。また、１のカッタを用いて、用紙片の長手寸法の長い記録用紙を撓ませてループを形成した状態で両記録用紙の後端が同時に切断されることで、異なった長さの用紙片を形成する構成についても、ループを形成するためのスペースを確保する必要があるため、省スペース化を図ることができない。従って本発明は、これらの問題を解消したロール給紙方式の画像形成装置を提供することを目的とする。
【課題を解決するための手段】
【０００７】
上記目的を達成するため、請求項１に記載の画像形成装置は、ロール紙収納部に装着されたロール紙から記録用紙を延出し（送り出し）、該記録用紙を用紙送り方向に直交する方向にカッター装置でカットして出力する機構を備えた画像形成装置において、前記カッター装置のカッターの待機位置を、前記記録用紙が通過する領域の左右端部、又はその中間部の任意位置に設定自在とするカッター待機位置設定部を具備することを特徴とする。
【０００８】
この構成によれば、カッターの待機位置を、記録用紙が通過する領域の左右端部だけでなく、その中間部の任意位置においても設定自在としたので、記録用紙の供給態様に応じて、カッターの移動が最小限で済むよう、カッターの待機位置を選択することが可能となる。例えば広幅のロール紙収納部に、比較的狭幅のロール紙を装着した場合でも、該記録用紙幅の端縁部位に相当する位置をカッターの待機位置として設定すれば、カッターは無用の移動を為さずとも済むことになる。
【０００９】
請求項２に記載の画像形成装置は、請求項１において、前記ロール紙収納部に複数のロール紙が装着され、該ロール紙収納部から並行して複数の記録用紙が延出される場合において、前記カッターの待機位置が、延出された複数の記録用紙の間、又はこれら記録用紙並行体の左右端部のいずれかに設定されることを特徴とする。
【００１０】
かかる構成によれば、複数のロール紙、例えば第一、第二ロール紙の２個がロール紙収納部に装着されている場合において、第一、第二ロール紙から延出される記録用紙の送り方向の紙長さ（カットされる長手方向単位長）が同一であるときは、カッターの待機位置を左右端部に設定し、第一ロール紙と第二ロール紙とで記録用紙長さが異なるときや、第一、第二ロール紙のいずれかからしか記録用紙を延出させないときは、カッターの待機位置を第一、第二ロール紙から延出された２つの記録用紙間に設定する、という運用が可能となる。このような設定を行うことで、カッターの移動距離を最小限に抑制することができる。
【００１１】
請求項３に記載の画像形成装置は、ロール紙収納部に装着されたロール紙から記録用紙を延出し、該記録用紙をカッター装置でカットして出力する機構を備えた画像形成装置において、前記ロール紙収納部から複数の記録用紙が延出されるか否かを検知する記録用紙並列状態検知部と、延出される各記録用紙のカット位置を検知する記録用紙長検知部と、前記カッター装置のカッターの待機位置を、前記記録用紙の左右端部、又はその中間部の任意位置に設定自在とするカッター待機位置設定部とを設け、前記カッター待機位置設定部は、前記記録用紙並列状態検知部と記録用紙長検知部とから与えられる信号に基づいて、カッターの待機位置を設定することを特徴とするものである。
【００１２】
このような構成によれば、カッター待機位置設定部は、ロール紙収納部から複数の記録用紙が延出されているか否か、及び各記録用紙のカット位置が同一か否かの情報に基づいて、カッターの待機位置を、例えば延出された複数の記録用紙の間、又はこれら記録用紙並行体の左右端部のいずれかに自動的に設定することが可能となり、当該画造形性装置の利便性を一層高めることができる。
【００１３】
請求項４に記載の画像形成装置は、請求項３において、前記記録用紙並列状態検知部が、前記ロール紙収納部から複数の記録用紙が延出されることを検知し、且つ記録用紙長検知部が、それぞれ延出された各記録用紙のカット位置に有意差があることを検知したときに、カッターの待機位置が、各ロール紙から延出された複数の記録用紙の間に設定されるよう構成されていることを特徴とする。
【００１４】
ロール紙収納部に複数のロール紙が装着され、該ロール紙収納部から並行して複数の記録用紙が延出される場合、各記録用紙のカット位置が同じであるときは、カッターは一端側から他端側まで往復動させることが効率的であると言える。しかしながら、各記録用紙のカット位置に有意差があるときは、カッターを各ロール紙から延出された複数の記録用紙の間に待機させ、それぞれ別動作で交互にカットする方が効率的である。本構成は、このような各記録用紙の送り方向紙長さでのカット位置の相違に的確に対応するための構成である。
【００１５】
請求項５に記載の画像形成装置は、請求項４において、記録用紙長検知部が、各記録用紙のカット位置に有意差があることを検知した場合において、カットされる紙片の長さ寸法が短いロール紙から延出された記録用紙を優先してカットさせることを特徴とする。
【００１６】
このように、カットされる紙片の長さ寸法が短いロール紙から延出された記録用紙を先ずカットし、次いでカットされる紙片の長さ寸法が長い記録用紙をカットするよう順位づけることにより、斜めカット等が発生することなく、それぞれの記録用紙を綺麗に切断することができる。
【００１７】
請求項６に記載の画像形成装置は、請求項３において、記録用紙の紙幅を検知する記録用紙幅検知部を設け、該記録用紙幅検知部からの検知信号に基づいて、カッターの待機位置を調整可能としたことを特徴とする。
【００１８】
かかる構成によれば、ロール紙収納部に装着されているロール紙の紙幅サイズが相違するような場合、カッターの待機位置を記録用紙の紙幅サイズに合わせて自動設定することが可能となり、機能性をより向上させることができる。
【発明の効果】
【００１９】
請求項１に記載の本発明によれば、カッターの待機位置を、記録用紙が通過する領域の左右端部だけでなく、その中間部の任意位置においても設定自在としたので、記録用紙の供給態様に応じて、カッターの移動が最小限で済むよう、カッターの待機位置を選択することができる画像形成装置を提供することができる。
【００２０】
請求項２に記載の本発明によれば、複数のロール紙、例えば第一、第二ロール紙の２個がロール紙収納部に装着されている場合において、第一、第二ロール紙から延出される記録用紙の送り方向の紙長さ（カットされる長手方向単位長）が同一であるときは、カッターの待機位置を左右端部に設定し、第一ロール紙と第二ロール紙とで記録用紙長さが異なるときや、第一、第二ロール紙のいずれかからしか記録用紙を延出させないときは、カッターの待機位置を第一、第二ロール紙から延出された２つの記録用紙間に設定することが可能となり、カッターの移動を最小限にすることができる画像形成装置を提供することができる。
【００２１】
請求項３に記載の本発明によれば、ロール紙収納部から複数の記録用紙が延出されているか否か、及び各記録用紙のカット位置が同一か否かの情報に基づいて、カッターの待機位置を、例えば延出された複数の記録用紙の間、又はこれら記録用紙並行体の左右端部のいずれかに自動的に設定することが可能となり、利便性の高い画像形成装置を提供することができる。
【００２２】
請求項４に記載の本発明によれば、各記録用紙のカット位置に有意差があるときは、カッターを各ロール紙から延出された複数の記録用紙の間に待機させ、それぞれ別動作で交互にカットすることが可能となり、各記録用紙の送り方向紙長さでのカット位置の相違に的確に対応することの可能な画像形成装置を提供することができる。
【００２３】
請求項５に記載の本発明によれば、カットされる紙片の長さ寸法が短いロール紙から延出された記録用紙を先ずカットし、次いでカットされる紙片の長さ寸法が長い記録用紙をカットするよう順位づけられるため、斜めカット等が発生することなく、それぞれの記録用紙を綺麗に切断することの可能が画像形成装置を提供することができる。
【００２４】
請求項６に記載の本発明によれば、ロール紙収納部に装着されているロール紙の紙幅サイズが相違するような場合、カッターの待機位置を記録用紙の紙幅サイズに合わせて自動設定することが可能となり、機能性の一層高い画像形成装置を提供することができる。
【発明を実施するための最良の形態】
【００２５】
以下、図１〜図８を用いて、本発明の画像形成装置を複写機１に適用した場合の一実施の形態を説明する。図１は、本発明の一実施の形態に係る複写機１の概略構成図である。複写機１は、ほぼ直方体形状をなし、その上部に原稿を搬送するための原稿搬送部２と、原稿搬送部２の下部で搬送された原稿に記録された原稿画像を読み取る原稿読取部３とを備える。原稿搬送部２は、前方に張り出すように設けられ、原稿を搭載する原稿載置テーブル２１と、搭載された原稿を原稿読取部３まで搬送する原稿搬送路２２とを備える。原稿搬送路２２は、原稿の搬送方向上流側から搬送ローラ対２３、原稿押えローラ２４及び排出ローラ２５が配置され、これら搬送ローラ対２３、原稿押えローラ２４及び排出ローラ２５によって、原稿載置テーブル２１から原稿挿入口２６を介して繰り出された原稿を原稿読取部３まで搬送して原稿排出口２７を介して排出するものである。原稿読取部３は、原稿押えローラ２４の直下方位置に配置され、密着型イメージセンサ等の撮像デバイスから成り、原稿押えローラ２４に押えられた原稿に記録された原稿画像を画像データとして読み取るものである。
【００２６】
また、複写機１は、下端に原稿読取部３で読み取られた原稿画像を記録するための記録用紙を収納するロール紙収納部４と、ロール紙収納部４から繰り出された記録用紙をその上方前面に開口する排出口５まで搬送する記録用紙搬送部６と、原稿読取部３の下方に配置され、記録用紙搬送部６の途中で搬送される記録用紙に原稿読取部３で読み取られた原稿画像のトナー画像を形成する像形成部７とを備える。  
【００２７】
ロール紙収納部４は、ロール状に巻かれた長尺の記録用紙（以下、「ロール紙Ｒ」とする）を装着する上段記録用紙ドラム４１及び下段記録用紙ドラム４２からなり、上段記録用紙ドラム４１と下段記録用紙ドラム４２とは高さ方向で並ぶように配置されている。上段記録用紙ドラム４１は、短尺寸法の異なるロール紙Ｒを並列に複数（例えば、２つ）装着する構成であり、下段記録用紙ドラム４２は、上段記録用紙ドラム４１に収納されるロール紙Ｒよりも短尺寸法の長いものが一つ装着される構成である（詳しくは後述する）。記録用紙搬送部６は、上段記録用紙ドラム４１及び下段記録用紙ドラム４２のいずれか一方から繰り出され、延出された記録用紙を搬送するための記録用紙搬送路６１が配設されている。記録用紙搬送路６１は、ロール紙収納部４からほぼ垂直方向に像形成部７の近傍まで延び、像形成部７の近傍から排出口５までほぼ水平に延びている。記録用紙搬送路６１には、記録用紙搬送方向上流側から下流側に向かって搬送ローラ対６２、６３及び転写前ローラ対６４が配置され、これらローラ対６２、６３、６４がモータ６５、６６に回転駆動されることで、記録用紙が像形成部７の下方の転写域まで搬送されるようになっている。
【００２８】
また、ほぼ水平方向に延びる記録用紙搬送路６１の下方には、バイパス給紙路６８が形成されている。バイパス給紙路６８は、排出口５の下方に開口し、手差しで所要の寸法を有する記録用紙を給紙するためのバイパス給紙口６８ａに接続され、記録用紙搬送方向下流側で、記録用紙搬送路６１の像形成部７の手前（例えば、搬送ローラ対６３及び転写ローラ対６４間）に接続されている。バイパス給紙路６８は、搬送ローラ対６９等が配設され、この搬送ローラ対６９の回転により像形成部７に向かって記録用紙が搬送されるようになっている。
【００２９】
記録用紙搬送路６１には、搬送ローラ対６２及び搬送ローラ対６３の間の所定位置に記録用紙切断部（カッター装置）８が配設されている。記録用紙切断部８は、延出される記録用紙を長尺方向に直交する方向で切断して所要の長尺寸法を有する記録用紙片（用紙片、以下、「記録用紙片Ｐ」とする）を形成するためのものである（詳しくは後述する）。
【００３０】
像形成部７は、中央に感光体ドラム７１を備えると共に、その周囲にドラム回転方向の上流側から帯電装置７２、露光装置７３、現像装置７４、転写ローラ７５及びクリーニング装置７６が配設されている。感光体ドラム７１は、表面に感光層が形成された長尺の円柱形状を有するもので、図略の駆動機構によって定速回転されるものである。帯電装置７２は、コロナ放電現象を利用して感光体表面に所定電位を付与するものである。露光装置７３は、例えばＬＥＤ(Light Emitting Diode)発光部からなり、原稿読取部３で読み取られた原稿画像の画像データを変調して光として出射し、ポリゴンミラーを介してこの光を感光体ドラム７１の長さ方向に走査することで感光体ドラム７１面に静電潜像を形成するものである。現像装置７４は、トナーを感光体ドラム７１面に電界を利用して付与することで、静電潜像を顕在化するものである。転写ローラ７５はトナー画像を記録用紙片Ｐに転写するためのものであり、クリーニング装置７６は転写後の感光体ドラム７１上の残留トナーを除去するものである。
【００３１】
記録用紙搬送路６１には、像形成部７の記録用紙搬送方向下流側に、記録用紙上に形成されたトナー画像を定着させる定着部９が配置される。像形成部７と定着部９との間の下面側には、吸引ファン１０が配置され、記録用紙片Ｐが記録用紙搬送路６１に沿って定着部９に好適に搬送されるようになっている。定着部９は、熱ローラと圧ローラからなる定着ローラ対９１を備えている。定着ローラ対９１は、駆動減である電動モータ７２により回転駆動されるように、それぞれギヤなどの動力伝達機構７３を介して電動連結されている。定着ローラ対９１の下流側には、排出ローラ対１１が配設され、排出ローラ対１１の回転によって排出口５から記録用紙片Ｐが排出されるようになっている。排出口５の下方位置には、排出トレイ１２が配置され、排出された記録用紙を受けるようになっている。また、複写機１は、その上方部に、操作者に操作されて操作者の指示を受け付ける、コピー開始キーや各種モード選択キーなどを備える操作部１３が配設される。
【００３２】
図２は、図１で示す上段記録用紙ドラム４１をより詳細に表した側面構成図、図３は、図１で示す上段記録用紙ドラム４１の斜視図である。上段記録用紙ドラム４１は、ハウジング４１０内にロール紙Ｒ１、Ｒ２が並列に配置されるようになっている。なお、ロール紙Ｒ１、Ｒ２は、それぞれロールの中心で軸４１１ａ、４１１ｂに軸支されている。軸４１１ａ、４１１ｂにはその両端にフランジ４１１１ａ、４１１１ｂが形成され、フランジ４１１１ａ、４１１１ｂが、それぞれハウジング４１０の内側底面に取り付けられた一対の軸受け４１２ａ、４１２ｂに下方から支持されて、軸４１１ａ、４１１ｂが保持されている。軸受け４１２ａ、４１２ｂは、ハウジング４１０外部に配置されるモータ（図略）に噛み合う複数のギヤ４１２１を内蔵し、これらギヤ４１２１のうち所要のものがフランジ４１１１ａ、４１１１ｂに噛み合った状態で配置されており、軸４１１ａ、４１１ｂは、ギヤ４１２１を介してモータの出力トルクが伝達され、図２中の時計回りの方向に回転駆動されるようになっている。軸４１１ａ、４１１ｂは、モータに個別に駆動されることが可能であり、いずれか一方のみが回転することも可能な構成である。
【００３３】
ハウジング４１０内の記録用紙搬送路６１側位置（図２中の左側、図３中の手前側）には、軸４１１ａ、４１１ｂの回転によって、ロール状部位の下端（ハウジング４１０の内部底面に面する位置）からロール紙Ｒ１、Ｒ２が解かれて延出される（送り出される）記録用紙ｐ１、ｐ２を受けるように記録用紙給紙部４１３が配置されている。記録用紙給紙部４１３は、記録用紙ｐ１、ｐ２の幅寸法（短尺寸法）以上の長さ寸法を有し、内部に亘って給紙路４１３１が形成されている。
【００３４】
給紙路４１３１には、給紙方向と直交する方向に延びるローラ４１３２、４１３３が上下方向から対向するように配置されている。記録用紙給紙部４１３には、給紙路４１３１の下部で、ローラ４２３３と噛み合って連なる複数のギヤ４１３４が配置され、これらギヤ４１３４のうち最端のものとハウジング４１０外部に配置されたモータ（図略）とは噛み合って配置されており、ローラ４１３３は、モータに駆動されて、図３において反時計方向に回転するようになっている。ローラ４１３３が回転すると、ローラ４１３２は共回りするようになっており、これらローラ４１３２、４１３３の回転によって、解かれた記録用紙ｐ１、ｐ２が図２中の一点鎖線矢印の方向に繰り出されて、記録用紙搬送路６１に給紙されるようになっている。
【００３５】
なお、下段記録用紙ドラム４２は、収納されるロール紙（以下、「ロール紙Ｒ３」とし、ロール紙Ｒ３が解かれて延出される（送り出される）ものは「記録用紙ｐ３」とする）の個数が一つである点以外、上段記録用紙ドラム４１と同様の構成を備える。
【００３６】
図４は、図１に示す記録用紙切断部８をより詳細に示す斜視図である。記録用紙切断部８は、記録用紙搬送路６１を下部に臨み、記録用紙の搬送方向に長尺寸法側が直交するように配置される。記録用紙切断部８は、長尺の基台８１の両端にワイヤ支持部８３（コロ８３ａ、８３ｂ）が取り付けられ、その上部にワイヤ支持部８３に支持されて無端の環状ワイヤ８２が長手方向に張設されている。無端の環状ワイヤ８２にはカッター機構８４（カッター）が取り付けられ、カッター機構８４は、コロ８３ａの下部に配置されるモータ８３１の駆動により環状ワイヤ８２を移動させるに伴って、記録用紙ｐの搬送方向に直交する方向（記録用紙ｐの長尺方向に対して直交する方向）の所定範囲（少なくとも記録用紙ｐ１、ｐ２の並列体の横寸法以上であって、記録用紙ｐ３の短尺寸法以上の範囲）でスライド移動するようになっている。カッター機構８４は、基台８１の下部に突出する刃を備え、この刃が搬送される記録用紙ｐ１、ｐ２に当接してスライド移動することで記録用紙ｐ１、ｐ２を所要の長尺寸法を有する記録用紙片Ｐに切断するようになっている。
【００３７】
また、基台８１には、カッター機構８４の配置位置を検知するためのセンサ８５、８６、８７がカッター機構８４の移動可能な所定範囲（記録用紙が通過する領域）に沿って配置されており、この所定範囲の両側（左右端部）にセンサ８５、８７が、この所定範囲の中間部の任意位置（給紙される複数のロール状記録用紙間）に移動自在にセンサ８６が配置されている。センサ８５、８６、８７の配置位置は、記録用紙ｐの切断動作をさせる前にカッター機構８４を待機させる所定の待機位置であり、センサ８５、８６の間の位置で記録用紙ｐ１が搬送され、センサ８６、８７の間の位置で記録用紙ｐ２が搬送され、センサ８５、８７の間の位置で記録用紙ｐ３が搬送されるようになっている。
【００３８】
図５は、図１に示す複写機１の電気的構成を主に示すブロック図である。複写機１は、スキャナ部１００、画像処理部１１０、プリンタ部１２０、センサ部１３０、制御部１４０、操作部１５０、給紙モータ駆動部１６０及びカッターモータ駆動部１７０を備える。
【００３９】
スキャナ部１００は、図１に示す原稿読取部３に相当し、スキャナ機能を実現するためのものである。原稿の画像を光学的に取得して画像データを生成するものである。スキャナ部１００は、露光ランプ１０１及びＣＣＤ（電荷結合素子）１０２を含んでいる。スキャナ部１００は、露光ランプ１０１により原稿を照射し、その反射光をＣＣＤ１０２で受光することにより、原稿から画像を読み取り、この読み取った画像に対応する画像データを画像処理部１１０へ出力する。画像処理部１１０は、原稿読取部３等に相当し、画像データに対する各種画像処理を行うものである。例えば、画像処理部１１０は、スキャナ部１００により読み取られるなどして得られた画像データに対して、レベル補正、γ補正等の所定の補正処理、画像データの圧縮又は伸張処理、拡大又は縮小処理等の種々の画像処理（加工処理）を行う。画像処理部１１０は、画像メモリ１１１を含み、処理された画像データ等をこの画像メモリ１１１に記憶する。
【００４０】
プリンタ部１２０は、像形成部７等に相当し、スキャナ部１によって読み取られた原稿の画像データが入力され、この画像データに対する画像を所定の記録用紙に印刷するものである。センサ部１３０は、図４に示す記録用紙切断部８におけるセンサ８５に相当するセンサ１３１、センサ８６に相当するセンサ１３２、センサ８７に相当するセンサ１３３等を含み、カッター機構８４の配置位置を検知して制御部１４０に出力するものである。
【００４１】
制御部１４０は、複写機１の制御プログラムを記憶するＲＯＭ、一時的にデータを保管するＲＡＭ、及び演算を行うＣＰＵ等からなり、操作部１５０等で受け付けられた指示情報や、複写機１の各所に設けられているセンサ（センサ部１３０を含む）からの検出信号に応じて複写機１全体の制御を行う処理を実行するものである。制御部１４０は、コントローラ１４１、ロール紙コントローラ１４２、カッターコントローラ１４３及びカッター位置検知部１４４を備えている。コントローラ１４１は、スキャナ部１００、画像処理部１１０、プリンタ部１２０、センサ部１３０及び操作部１５０の各部の動作を制御するものである。
【００４２】
ロール紙コントローラ１４２は、画像メモリ１０３に記憶される画像データに基づいてロール紙収納部４を駆動して、記録用紙ｐ１、ｐ２、ｐ３のうち所要の記録用紙を所要の長尺寸法分だけ記録用紙搬送路６１に給紙するようになっている。カッターコントローラ１４３は、ロール紙コントローラ１４２のロール紙収納部４の動作（ロール紙ｐを搬送させるための動作等）を制御するための制御信号及びカッター位置検知部１４４から入力される信号に基づいて、カッターモータ駆動部１７０を制御するものである（カッターコントローラ１４３の構成については詳しくは後述する）。カッター位置検知部１４４は、センサ部１３０の検知信号が入力され、当該検知信号に基づいてカッター機構８４の配置位置を検知し、検知した配置位置を示す信号をカッターコントローラ１４３に出力する。
【００４３】
操作部１５０は、操作部１３等に相当し、操作者が操作を行うために使用され、操作者による操作指令（コマンド）等を制御部１４０に与えるものであり、種々の指示入力を行うために用いられる。給紙モータ駆動部１６０は、ロール紙収納部４の軸４１１ａ、４１１ｂ及びローラ４１３３を回転させるためのモータ等に相当し、ロール紙コントローラ１４２によって軸４１１ａ、４１１ｂ及びローラ４１３３の回転タイミング及び回転量が制御されるようになっている。カッターモータ駆動部１７０は、カッターコントローラ１４３に制御されて、カッター機構８４を移動させるものである。
【００４４】
図６は、図５に示すカッターコントローラ１４３の機能をより詳細に示すための機能ブロック図である。カッターコントローラ１４３は、記録用紙並列状態検知部１４３１、記録用紙幅検知部１４３２、記録用紙長検知部１４３３、給紙状態検知部１４３４、カッター位置設定部１４３５及びモータ駆動信号発生部１４３６を備える。記録用紙並列状態検知部１４３１は、ロール紙コントローラ１４２の制御信号に基づいて（ロール紙コントローラ１４２が記録用紙ｐ１、ｐ２、ｐ３のうちでいずれを繰り出すように制御しているかに基づいて）、ロール紙収納部４から複数の記録用紙ｐが延出されているか否かを検知し、検知信号をカッター位置設定部１４３５に出力する。記録用紙幅検知部１４３２は、ロール紙コントローラ１４２の制御信号に基づいて（ロール紙コントローラ１４２が記録用紙ｐ１、ｐ２、ｐ３のうちでいずれを繰り出すように制御しているかに基づいて）、延出されている記録用紙ｐの紙幅を検知し、検知信号をカッター位置設定部１４３５に出力する。
【００４５】
記録用紙長検知部１４３３は、ロール紙コントローラ１４２の制御信号に基づいて（ロール紙コントローラ１４２が記録用紙ｐ１、ｐ２、ｐ３のうちでいずれをどれだけ繰り出すように制御しているかに基づいて）、延出されている記録用紙ｐのカット位置、すなわちカットされるべき記録用紙片Ｐの長さ寸法を検知し、検知信号をカッター位置設定部１４３５に出力する。給紙状態検知部１４３４は、ロール紙コントローラ１４２の制御信号に基づいて（ロール紙コントローラ１４２が制御する軸４１１ａ、４１１ｂ及びローラ４１３３の回転量に基づいて）、延出されている記録用紙ｐの送り方向の紙長さを検知し、検知信号をカッター位置設定部１４３５に出力する。
【００４６】
カッター位置設定部（カッター待機位置設定部）１４３５は、記録用紙並列状態検知部１４３１と記録用紙長検知部１４３３とから与えられる検知信号に基づいて、カッター機構８４の待機位置を自在に設定する。また、カッタ―位置設定部１４３５は、給紙状態検知部１４３４からの検知信号に基づいて、カッター機構８４の動作方向及び動作タイミングが決定される。なお、カッター機構８４の待機位置に所定幅を設け、カッター位置設定部１４３５は、記録用紙幅検知部１４３２からの検知信号に基づいて、延出される記録用紙ｐの横寸法に合わせて所定幅においてカッター機構８４の待機位置を調整可能としてもよい。
【００４７】
モータ駆動信号発生部１４３６は、カッター位置設定部１４３５に設定された待機位置でカッター機構８４を待機させるための駆動信号及び決定された移動方向でカッター機構８４を移動させるための駆動信号を発生し、カッターモータ駆動部１７０に出力するものである。以下、モータ駆動信号発生部１４３６で発生される駆動信号について説明する。記録用紙並列状態検知部１４３１で記録用紙ｐ１及び記録用紙ｐ２が並列に延出されていると検知される場合であって、記録用紙長検知部１４３３で記録用紙ｐ１、ｐ２の記録用紙片Ｐの切断するべき所要の長尺寸法が異なると検知されるとき（延出された各記録用紙のカット位置に有意差があるとき）、モータ駆動信号発生部１４３６では、センサ８６の配置位置（記録用紙ｐ１及び記録用紙ｐ２の搬送位置間の待機位置）でカッター機構８４を待機させる駆動信号が発生される。かかる場合において、記録用紙ｐ１、ｐ２のうちいずれかの長さ寸法が、給紙状態検知部１４３４でカット位置であると検知されるとき、モータ駆動信号発生部１４３６では、カッター機構８４をカット位置まで延出されている記録用紙ｐの方向へスライド移動させた後（記録用紙片Ｐが短い方から記録用紙ｐを優先してカットさせた後）、センサ８６の配置位置で再度待機させ、他方の長さ寸法がカット位置であると検知されるとき、他方に対してスライド移動させる駆動信号が発生される。
【００４８】
また、記録用紙並列状態検知部１４３１で記録用紙ｐ１及び記録用紙ｐ２が並列に延出されていると検知される場合であって、記録用紙長検知部１４３３で記録用紙ｐ１、ｐ２の記録用紙片の切断するべき所要の長尺寸法が同じであると判別されるとき（延出された各記録用紙のカット位置に有意差がないとき）には、モータ駆動信号発生部１４３６では、センサ８５、８７のいずれか一方の配置位置でカッター機構８４を待機させる駆動信号が発生される。そして、給紙状態検知部１４３４でカット位置であると検知されるとき、モータ駆動信号発生部１４３６では、他方の配置位置に向けてスライド移動させる駆動信号が発生され、カッター機構８４は記録用紙ｐ１、ｐ２をほぼ同じ長尺寸法で切断することが可能となる。
【００４９】
また、記録用紙並列状態検知部１４３１で記録用紙ｐ１、ｐ２のうち何れか一方のみが延出されていると検知される場合には、モータ駆動信号発生部１４３６では、センサ８６の配置位置でカッター機構８４を待機させる駆動信号が発生される。そして、給紙状態検知部１４３４でカット位置であると検知されるとき、モータ駆動信号発生部１４３６でセンサ８５の配置位置（記録用紙ｐ１が搬送されている場合）又はセンサ８７の配置位置（記録用紙ｐ２が搬送されている場合）までスライド移動させる駆動信号が発生されることで、カッター機構８４は最小の移動量で記録用紙ｐ１、ｐ２のいずれかを切断することが可能となる。なお、記録用紙並列状態検知部１４３１で記録用紙ｐ３のみが延出されていると検知される場合には、センサ８５、８７のうちいずれか一方の配置位置でカッター機構８４を待機させる駆動信号が発生され、給紙状態検知部１４３４でカット位置であると検知されるとき、カッター機構８４を他方の配置位置までスライド移動させる駆動信号が発生される。
【００５０】
図７は、図４に示すカッター機構８４の移動制御処理の一例を示すフローチャートである。まず、原稿画像が画像データとして原稿読取部３によって読み取られ、ステップＳ１で、ロール紙コントローラ１４２により、画像データが検知され（Ｓ１）、画像データに基づいて、給紙されるべき記録用紙ｐの種別及び給紙量が選択される（Ｓ３）。例えば、Ｂ５、Ａ５サイズの記録用紙片Ｐに原稿画像を印刷するに適していると判別される場合には、記録用紙ｐ１が選択され、Ａ４、Ｂ４サイズの記録用紙片Ｐに印刷するに適していると判別される場合には、記録用紙ｐ２が選択され、Ａ３サイズの記録用紙片Ｐに印刷するに適していると判別される場合には、記録用紙ｐ３が選択される。ここでは、記録用紙ｐ１のみが選択される場合にはステップＳ５が実行され、記録用紙ｐ２のみが選択される場合にはステップＳ２１が実行され、記録用紙ｐ１及び記録用紙ｐ２の同時給紙が選択される場合にはステップＳ３１が実行され、記録用紙ｐ３のみが選択される場合には、ステップＳ６１が実行される。
【００５１】
記録用紙ｐ１のみが選択される場合には、カッター位置検知部１４４によってセンサ８６からの検知信号に基づいて、カッター機構８４が記録用紙ｐ１、ｐ２の搬送位置間の所定の待機位置、すなわちセンサ８６の配置位置に在るか判別される（Ｓ５）。カッター機構８４がセンサ８６の配置位置に在ると判別されない場合には（Ｓ５でＮＯ）、カッターモータ駆動部１７０によって、センサ８６の配置位置にカッター機構８４が移動され（Ｓ７）、カッター機構８４がセンサ８６の配置位置に在ると判別される場合には（Ｓ５でＹＥＳ）、ステップＳ９が実行される。ステップＳ９では、ロール紙コントローラ１４２によって、記録用紙ｐ１が、所定の給紙量だけ記録用紙給紙部４１３から給紙されるように制御される。所定の給紙量だけ記録用紙ｐ１が給紙されたと（記録用紙ｐ１の切断位置がカッター機構８４の下部に位置すると）給紙状態検知部１４３４により判別されたとき（Ｓ１１）、カッター機構８４は、センサ８６の配置位置からセンサ８５の配置位置までスライド移動されてから、センサ８６の配置位置まで戻される（Ｓ１３）。
【００５２】
ステップＳ３で記録用紙ｐ２のみが選択される場合には、カッター位置検知部１４４によってセンサ８６からの検知信号に基づいて、カッター機構８４がセンサ８６の配置位置に在るか判別される（Ｓ２１）。カッター機構８４がセンサ８６の配置位置に在ると判別されない場合には（Ｓ２１でＮＯ）、カッターモータ駆動部１７０によってセンサ８６の配置位置にカッター機構８４を移動させるようにカッター位置設定部１４３５が制御する（Ｓ２３）、カッター機構８４がセンサ８６の配置位置に在ると判別される場合には（Ｓ２１でＹＥＳ）、ステップＳ２５が実行される。ステップＳ２５では、ロール紙コントローラ１４２によって、記録用紙ｐ２が、所定の給紙量だけ記録用紙給紙部４１３から給紙されるように制御される。所定の給紙量だけ記録用紙ｐ２が給紙されたと（記録用紙ｐ２の切断位置がカッター機構８４の下部に位置すると）給紙状態検知部１４３４によって判別されたとき（Ｓ２７）、カッター機構８４を、センサ８６の配置位置からセンサ８７の配置位置までスライド移動してから、センサ８６の配置位置まで戻すようにカッター位置設定部１４３５がカッターモータ駆動部１０２を制御する（Ｓ２９）。
【００５３】
ステップＳ３で記録用紙ｐ１及び記録用紙ｐ２の同時給紙が選択される場合には、記録用紙長検知部１４３３によって、画像データに基づいて、記録用紙ｐ１、ｐ２の切断されるべき記録用紙片Ｐの長尺寸法がそれぞれ同一であるかが判別される（Ｓ３１）。同一であると判別される場合には（Ｓ３１でＮＯ）、ステップＳ３３が実行され、同一であると判別されない場合には（Ｓ３１でＹＥＳ）、ステップＳ４７が実行される。ステップＳ４７については詳しくは後述する。
【００５４】
ステップＳ３３では、カッター位置検知部１４４によってセンサ８６からの検知信号に基づいて、カッター機構８４がセンサ８６の配置位置に在るか判別される。カッター機構８４がセンサ８６の配置位置に在ると判別されない場合には（Ｓ３３でＮＯ）、センサ８６の配置位置にカッター機構８４が移動され（Ｓ３５）、カッター機構８４がセンサ８６の配置位置に在ると判別される場合には（Ｓ３３でＹＥＳ）、ステップＳ３７が実行される。ステップＳ３７では、ロール紙コントローラ１４２によって、記録用紙ｐ１、ｐ２が、並列な状態で同時に、所定の給紙量だけ記録用紙給紙部４１３から給紙されるように制御される。記録用紙ｐ１、ｐ２のうち記録用紙片Ｐの長尺寸法が短い方、例えば記録用紙ｐ１が所定の給紙量だけ給紙されたと給紙状態検知部１４３４により判別されたとき（Ｓ３９）、カッター機構８４は、所定の待機位置からセンサ８５の配置位置までスライド移動されてから、所定の待機位置まで戻される（Ｓ４１）。そして、記録用紙ｐ１、ｐ２のうち記録用紙片Ｐの長尺寸法が長い方、例えば記録用紙ｐ２が所定の給紙量だけ給紙されたと給紙状態検知部１４３４により判別されたとき（Ｓ４３）、カッター機構８４を、センサ８６の配置位置からセンサ８７の配置位置までスライド移動させてから、センサ８６の配置位置まで戻すようにカッター位置設定部１４３５がカッターモータ駆動部１０２を制御する（Ｓ４５）。
【００５５】
ステップ４７では、カッター位置検知部１４４によってセンサ８６からの検知信号に基づいて、カッター機構８４が移動可能範囲の端部の所定の待機位置、すなわちセンサ８５の配置位置及びセンサ８７の配置位置のうちいずれか一方に在るか判別される。カッター機構８４がセンサ８５の配置位置およびセンサ８７の配置位置のうちいずれか一方に在ると判別されない場合には（Ｓ４７でＮＯ）、センサ８５の配置位置およびセンサ８７の配置位置のうちいずれか一方にカッター機構８４が移動され（Ｓ４９）、カッター機構８４がセンサ８５の配置位置およびセンサ８７の配置位置のうちいずれか一方に在ると判別される場合には（Ｓ４７でＹＥＳ）、ステップＳ５１が実行される。ステップＳ５１では、並列な状態で同時に、記録用紙ｐ１、ｐ２が、所定の給紙量だけ記録用紙給紙部４１３から給紙されるようにロール紙コントローラ１４２によって制御される。所定の給紙量だけ記録用紙ｐ１が給紙されたと給紙状態検知部１４３４により判別されたとき（Ｓ５３）、カッター機構８４は、カッターモータ駆動部１７０によってセンサ８５の配置位置およびセンサ８７の配置位置のうちいずれか一方から他方までスライド移動されるように、カッター位置設定部１４３５に制御される（Ｓ５５）。
【００５６】
ステップＳ３で記録用紙ｐ３のみが選択される場合には、カッター位置検知部１４４によってセンサ８６からの検知信号に基づいて、カッター機構８４が移動可能範囲の端部の所定の待機位置、すなわちセンサ８５の配置位置及びセンサ８７の配置位置のうちいずれか一方に在るか判別される（Ｓ６１）。カッター機構８４がセンサ８５の配置位置およびセンサ８７の配置位置のうちいずれか一方に在ると判別されない場合には（Ｓ６１でＮＯ）、センサ８５の配置位置およびセンサ８７の配置位置のうちいずれか一方にカッター機構８４が移動され（Ｓ６３）、カッター機構８４がセンサ８５の配置位置およびセンサ８７の配置位置のうちいずれか一方に在ると判別される場合には（Ｓ６１でＹＥＳ）、ステップＳ６５が実行される。ステップＳ６５では、記録用紙ｐ３が、所定の給紙量だけ記録用紙給紙部４１３から給紙されるようにロール紙コントローラ１４２によって制御される。所定の給紙量だけ記録用紙ｐ３が給紙されたと制御部１４０により判別されたとき（Ｓ６７）、カッター機構８４は、カッターモータ駆動部１７０によってセンサ８５の配置位置およびセンサ８７の配置位置のうちいずれか一方から他方までスライド移動されるようにカッター位置設定部１４３５に制御される（Ｓ６９）。
【００５７】
上述した構成により、複写機１では、カッター機構８４が移動可能範囲の両端及び途中位置で待機可能であるため、記録用紙ｐ１、ｐ２が同時給紙される場合であっても、カッター機構８４を複数個設けたり、記録用紙ｐ１、ｐ２のうち長尺寸法に切断される方を撓ませることなく、異なった長尺寸法に切断することが可能となり、簡易な構成を用いて効率良く記録用紙片Ｐに画像を印刷することができる。また、記録用紙ｐ１、ｐ２の切断される部分の長尺寸法が同じである場合や、記録用紙ｐ１、ｐ２、ｐ３を単一給紙する場合も対応可能であるため、効率良く印刷することができながら、様々なサイズで画像を印刷することができる。
【００５８】
なお、本発明では、ロール紙収納部４は、上段記録用紙ドラム４１、下段記録用紙ドラム４２が配置されているに限られず、下段記録用紙ドラム４２のない構成であってもよい。また、上段記録用紙ドラム４１には、並列にロール紙Ｒ１、Ｒ２が収納されているに限られず、ロール紙収納部４に複数のロール紙Ｒが収納され、ほぼ同時に給紙可能な構成であればよい、複数のロール紙Ｒの短尺寸法は、異なるものに限られないが、異なった短尺寸法を有するものが収納される方が、多種類の記録用紙片Ｐに画像を印刷することができるため好ましい。
【００５９】
また、同時給紙されるロール紙Ｒの個数も、２つに限られず、３つ以上であってもよく、この場合であって異なった長尺寸法で各記録用紙ｐが切断されるとき、記録用紙片Ｐの長尺寸法の順番に並列にロール紙Ｒが配置され、記録用紙片Ｐの長尺寸法が最も短寸法な記録用紙ｐ及び次に短寸法な記録用紙ｐの間を待機位置としてカッター機構８４を待機させ、記録用紙片Ｐの長尺寸法が最も短寸法なものの方向へスライド移動させた後に待機位置まで戻し、次に短寸法なものの方向へスライド移動させた後、その次に短寸法なロール状記録用紙の方へ向けてスライド移動させる構成が採用される。
【００６０】
また、複数の記録用紙ｐがほぼ同時に給紙される場合であっても、記録用紙搬送路６１でも並列に搬送される必要はなく、記録用紙切断部８の配置された所定位置で並列に並べられればよく、例えば、複数の記録用紙が所定位置まで異なる高さで搬送される構成等であってもよい。
【００６１】
なお、記録用紙並列状態検知部１４３１、記録用紙幅検知部１４３２、記録用紙長検知部１４３３及び給紙状態検知部１４３４は、カッターコントローラ１４３からの制御信号に基づいて検知信号を出力するに限られず、画像メモリ１１１に記憶されている画像データに基づいて検知信号を出力する構成であってもよい。また、記録用紙並列状態検知部１４３１、記録用紙幅検知部１４３２及び給紙状態検知部１４３４は、画像データに基づいて検知信号を出力する構成に限られず、記録用紙搬送路６１等の所要位置にセンサが設けられ、センサからの検知信号に基づいて、複数の記録用紙ｐが延出されるか否かを検知し、延出される各記録用紙ｐのカット位置を検知し、延出される記録用紙ｐの紙幅を検知する構成であってもよい。
【００６２】
なお、記録用紙切断部８の配置位置も、記録用紙搬送路６１におけるロール紙収納部４から像形成部７までの位置に配置されていればよく、記録用紙切断部８の構造も上記に限定されず、カッター機構８４が移動可能範囲の両端及び同時給紙される複数のロール状記録用紙の搬送位置間で待機可能な構成であればよく、センサ８５、８６、８７を備えない構成であってもよい。
【００６３】
図８は、変形例に係る記録用紙切断部８０の構成を示す斜視図である。記録用紙切断部８０は、センサ８５、８６、８７を備えない点及びワイヤ支持部８３の代わりにワイヤ支持部８３０を備える点で記録用紙切断部８と異なるが、それ以外で同様の構成を有する。なお、記録用紙切断部８の部材と同様の構成を有する部材には同じ符号を付するものとする。ワイヤ支持部８３０は、パルス板（図略）が配置される点のみがワイヤ支持部８３と異なっている。ワイヤ支持部８３０では、パルス板によって環状ワイヤ及びモータ８３１に噛み合うギヤ（図略）の回転数が検出されて検出信号として制御部１４０に入力され、制御部１４０は、検出信号に基づいて環状ワイヤ８２の移動量を検出し、これによってカッター機構８４の配置位置が検知されるようになっており、センサ８５、８６、８７を備えずに、移動可能範囲の両端及び同時給紙される複数のロール状記録用紙の搬送位置間でカッター機構８４を待機させるように制御することが可能になっている。このような記録用紙切断部８１０を記録用紙切断部８の代わりに用いても、同様の効果を得ることが可能である。
【００６４】
なお、本発明は、複写機に限られず、プリンタ、ファクシミリ等の他の画像形成装置に適用することも可能である。
【図面の簡単な説明】
【００６５】
【図１】本発明の一実施の形態に係る複写機の概略構成図である。
【図２】図１で示す上段記録用紙ドラムをより詳細に表した側面構成図である。
【図３】図１で示す上段記録用紙ドラムの斜視図である。
【図４】図１に示す記録用紙切断部をより詳細に示す斜視図である。
【図５】図１に示す複写機の電気的構成を主に示すブロック図である。
【図６】図５に示すカッターコントローラの機能をより詳細に示すための機能ブロック図である。
【図７】図４に示すカッター機構の移動制御処理の一例を示すフローチャートである。
【図８】変形例に係る記録用紙切断部の構成を示す斜視図である。
【符号の説明】
【００６６】
１                    複写機（画像形成装置）
４                   ロール紙収納部
１４３１            記録用紙並列状態検知部
１４３２            記録用紙幅検知部
１４３３            記録用紙長検知部
１４３５            カッター位置設定部（カッター待機位置設定部）
８、８０            記録用紙切断部（カッター装置）
８４                 カッター機構（カッター）
ｐ                   記録用紙
Ｒ                    ロール紙
【図１】
2005066899.tif 000003
【図２】
2005066899.tif 000004
【図３】
2005066899.tif 000005
【図４】
2005066899.tif 000006
【図５】
2005066899.tif 000007
【図６】
2005066899.tif 000008
【図７】
2005066899.tif 000009
【図８】
2005066899.tif 000010